(57)【要約】      （修正有）【課題】食品などの被収容物を収容する箱体の蓋を、簡単かつスムーズに開閉できる保冷ボックスを提供する。【解決手段】保冷ボックス１は、開口を有する箱体２と、回動されて開口を開閉する蓋３を備え、蓋３は、閉じられたときに、開口の上方に位置する天面３０と、その前縁から略下方に延びる前垂れ部３４であって、前壁部１１の上部外面に沿う前垂れ部３４と、天面３０の左右の縁の少なくとも前部からそれぞれ略下方に延びる左右の垂れ部３６であって、左右の壁部１３の上部外面に沿う左右の垂れ部３６とを備え、前垂れ部３４と左右の垂れ部３６が一体的に形成され、又は連結されており、前垂れ部３４と左右の垂れ部３６の間の左右の角部４１、４２の下端部が丸みを帯び、箱体２の前壁部１１と左右の壁部１３により形成される左右の角部が角張っており、または前垂れ部３４と左右の垂れ部３６の間の丸みを帯びた左右の角部４１、４２の下端部よりも小さい曲率半径を有する。【選択図】図１
0003231838.tif 000002
【実用新案登録請求の範囲】
【請求項１】
前壁部、左右の壁部、後壁部および底壁部を備え、上面が開口した箱体と、
前記後壁部に取り付けられ、または前記後壁部から連続的に形成された蓋であって、回動されて前記箱体の開口を開閉する前記蓋とを備え、
前記蓋は、前記蓋が閉じられたときに、前記開口の上方に位置する天面と、前記天面の前縁から略下方に延びる前垂れ部であって、前記前壁部の上部外面に沿う前記前垂れ部と、前記天面の左右の縁の少なくとも前部からそれぞれ略下方に延びる左右の垂れ部であって、前記左右の壁部の上部外面に沿う前記左右の垂れ部とを備え、
前記前垂れ部と前記左右の垂れ部とが、一体的に形成されているか、または連結されており、
前記前垂れ部と前記左右の垂れ部との間の左右の角部の下端部がそれぞれ、丸みを帯びた形状をなし、
前記箱体の前記前壁部と前記左右の壁部とにより形成される左右の角部がそれぞれ、角張った形状をなしているか、または前記前垂れ部と前記左右の垂れ部との間の丸みを帯びた前記左右の角部の下端部よりも小さい曲率半径を有することを特徴とする保冷ボックス。
【請求項２】
前記前垂れ部と前記左右の垂れ部との間の前記左右の角部の上端部は、前記箱体の前記前壁部と前記左右の壁部とにより形成される左右の角部の形状に合わせた形状に形成され、角張った形状をなしているか、または前記前垂れ部と前記左右の垂れ部との間の前記左右の角部の下端部よりも小さい曲率半径を有することを特徴とする請求項１に記載の保冷ボックス。
【請求項３】
前記箱体の前記左右の壁部の前部の上縁が、前下がりに斜めに形成されたことを特徴とする請求項１または２に記載の保冷ボックス。
【請求項４】
前記前垂れ部および前記左右の垂れ部は、前記蓋が閉じられた状態で少なくとも上部に位置する部分に可撓性を有することを特徴とする請求項１ないし３のいずれか１項に記載の保冷ボックス。
【請求項５】
前記箱体の底部に、前記箱体の内部に溜まった水を排出する水抜き手段が設けられたことを特徴とする請求項１ないし４のいずれか１項に記載の保冷ボックス。
【考案の詳細な説明】
【技術分野】
【０００１】
本考案は、食品などの被収容物を保冷した状態で運搬するための保冷ボックスに関するものである。
【背景技術】
【０００２】
従来、搬送用のコンテナの内部に収容されたり、あるいは配達業者が食品などの被収容物を集荷し、または宅配するときに、リヤカー付きの自転車や手押し台車などに取り付けられる略直方体状の保冷ボックスが知られている。
【０００３】
このような保冷ボックスは、通常、四側面としての前壁部、左右の壁部および後壁部ならびに底壁部を有する箱体と、箱体の後壁部の上部に回動自在に取り付けられ、箱体の上部に形成された開口部を覆う蓋を備えており、箱体の内部に形成された空間に、保冷剤とともに食品などが収納されるように構成されている。
【０００４】
例えば、特許文献１には、蓋が、平板状をなす天面と、この天面の前縁および左右の縁から下方に延びる垂れ部（煽状鍔部６１）を備え、蓋が閉じられたときに、垂れ部が、箱体の上部外面に沿うことによって、箱体と天面との間の僅かな間隙を覆い、冷気が外部へ漏れ出すことを防止することが可能な保冷ボックス（断熱性格納ケース）が開示されている。
【０００５】
一方、特許文献２には、箱体の左右の壁部の上縁にそれぞれ、連結片（１３）が取り付けられた保冷ボックス（保冷容器）が開示されている。
【０００６】
この保冷ボックスにおいては、作業者は、蓋を箱体に被せるようにして閉じた状態で、左右一対の連結片（１３）をそれぞれ上方へ捲り上げ、一対の連結片（１３）に設けられた面ファスナー（１４）を、蓋の上面に設けられた面ファスナーに係合させ、蓋の左右の縁と、箱体の左右の壁部の上縁との間の間隙を一対の連結片（１３）で覆い、冷気が保冷ボックスの外部へ漏れることを防止することができる。
【先行技術文献】
【特許文献】
【０００７】
【特許文献１】特開２０００−２０３６６５号公報
【特許文献２】特開２００９−１６１２３７号公報
【考案の概要】
【考案が解決しようとする課題】
【０００８】
しかしながら、特許文献１に記載された保冷ボックスにおいては、特許文献１の段落［００２５］および図８に示されるように、蓋の垂れ部（煽状鍔部６１）が、蓋の前縁から下方へ延びる前垂れ部（煽状鍔部（６１）の前部）と、蓋の左右の縁から下方へ延びる左右の垂れ部（煽状鍔部（６１）の左部および右部）とに分けて（「各側面毎に、」）形成されている。
【０００９】
それゆえに、左右の垂れ部が左右方向外側に拡がり、冷気が漏れ出すことを防止するため、面ファスナーなどの係止部材を用いて、左右の垂れ部を、箱体の左右の壁部に係止させる必要があり、蓋を上方へ持ち上げる（開ける）ときには、かかる左右の係止部材を取り外す必要があり、手間がかかった。
【００１０】
また、特許文献１に記載された保冷ボックスの前垂れ部と、左右の垂れ部とを一体的に形成した場合には、上記係止部材を用いることは必ずしも必要でないが、蓋を開閉させるとき（特に閉じるとき）に、垂れ部の左右の角部の下端部（前垂れ部と左右の垂れ部との間の角部の下端部）が、箱体の前上部の左右の角部近傍（前壁部と左右の壁部との間の左右の角部の上部近傍）に引っ掛かり、蓋をスムーズに閉じることができないという問題があった。
【００１１】
したがって、本考案は、食品などの被収容物を収容する箱体の蓋を、手間がかからず、スムーズに開閉することができる保冷ボックスを提供することを目的とするものである。
【課題を解決するための手段】
【００１２】
本考案のかかる目的は、
前壁部、左右の壁部、後壁部および底壁部を備え、上面が開口した箱体と、
前記後壁部に取り付けられ、または前記後壁部から連続的に形成された蓋であって、回動されて前記箱体の開口を開閉する前記蓋とを備え、
前記蓋は、前記蓋が閉じられたときに、前記開口の上方に位置する天面と、前記天面の前縁から略下方に延びる前垂れ部であって、前記前壁部の上部外面に沿う前記前垂れ部と、前記天面の左右の縁の少なくとも前部からそれぞれ略下方に延びる左右の垂れ部であって、前記左右の壁部の上部外面に沿う前記左右の垂れ部とを備え、
前記前垂れ部と前記左右の垂れ部とが、一体的に形成されているか、または連結されており、
前記前垂れ部と前記左右の垂れ部との間の左右の角部の下端部がそれぞれ、丸みを帯びた形状をなし、
前記箱体の前記前壁部と前記左右の壁部とにより形成される左右の角部がそれぞれ、角張った形状をなしているか、または前記前垂れ部と前記左右の垂れ部との間の丸みを帯びた前記左右の角部の下端部よりも小さい曲率半径を有することを特徴とする保冷ボックスによって達成される。
【００１３】
本考案によれば、箱体の開口を開閉する蓋の天面から略下方に延びる前垂れ部と左右の垂れ部とが一体的に形成されているか、または連結されているから、係止部材を用いて蓋の左右の垂れ部を箱体の左右の壁部に係止させなくても、左右の垂れ部が左右方向外側に拡がっていく（天面との接合部を中心に左右方向外側に回動してしまう）ことがなく、したがって、蓋を、回動させるだけで簡単に開閉することができ、手間がかからない。
【００１４】
さらに、本考案によれば、一体的に形成され、または連結された左右の垂れ部と前垂れ部との間の左右の角部の下端部（下縁）がそれぞれ、丸みを帯びた形状（Ｒ形状）をなし、箱体の前側の左右の角部が、左右の垂れ部と前垂れ部との間の左右の角部よりも角張った形状をなしているため、蓋を回動させて開閉する際に、蓋の左右の垂れ部と前垂れ部との間の左右の角部の下端部が、箱体の前壁部と左右の壁部との間の左右の角部の上部近傍に引っ掛かる事態を防止することができ、したがって、蓋をスムーズに開閉することができる。
【００１５】
本考案の好ましい実施態様においては、
前記前垂れ部と前記左右の垂れ部との間の左右の角部の上端部は、前記箱体の前記前壁部と前記左右の壁部とにより形成される左右の角部の形状に合わせた形状に形成され、角張った形状をなしているか、または前記前垂れ部と前記左右の垂れ部との間の左右の角部の下端部よりも小さい曲率半径を有している。
【００１６】
本考案のこの好ましい実施態様によれば、前垂れ部と左右の垂れ部との間の左右の角部の上端部が、箱体の前壁部と左右の壁部とにより形成される左右の角部の形状に合わせて形成されており、すなわち、前垂れ部と左右の垂れ部との間の左右の角部の上端部が、角張った形状をなしているか、または前垂れ部と左右の垂れ部との間の左右の角部の下端部よりも小さい曲率半径を有しているため、箱体の前壁部の上部および左右の壁部の上部と、これらの外面に沿う前垂れ部と左右の垂れ部とを当接させ、または近接させることができ、箱体の上部近傍からの冷気の漏れを効果的に抑制することができる。
【００１７】
本考案の好ましい実施態様においては、
前記箱体の前記左右の壁部の前部の上縁が、前下がりに斜めに形成されている。
【００１８】
本考案のこの好ましい実施態様によれば、左右の壁部の前部の上縁が前下がりに斜めに形成されているから、蓋を開閉する際に、前垂れ部の下部と、左右の垂れ部と前垂れ部との間の（とを繋ぐ）左右の角部の下部とが、箱体の前壁部の上端部に、または左右の壁部の前上端部に引っ掛かることを効果的に防止することができる。
【００１９】
本考案の好ましい実施態様においては、
前記前垂れ部および前記左右の垂れ部は、前記蓋が閉じられた状態で少なくとも上部に位置する部分に可撓性を有している。
【００２０】
本考案のこの好ましい実施態様によれば、前垂れ部および左右の垂れ部が、その上部に可撓性を有しているから、保冷ボックスを使用しないときに、蓋が後方に回動された状態で、作業者は、前垂れ部および左右の垂れ部を、その上部で、平らに折り曲げることができ、蓋が嵩張らない。
【００２１】
本考案のさらに好ましい実施態様においては、
前記箱体の底部に、前記箱体の内部に溜まった水を排出する水抜き手段が設けられている。
【００２２】
本考案のこの好ましい実施態様によれば、箱体の底部に水抜き手段が設けられているから、箱体の内部に、結露した水や雨水が溜まった場合に、排水することができ、利便性が良い。
【考案の効果】
【００２３】
本考案によれば、食品などの被収容物を収容する箱体の蓋を、スムーズに、かつ、簡単に開閉することができる保冷ボックスを提供することが可能になる。
【図面の簡単な説明】
【００２４】
【図１】図１は、本考案の好ましい実施態様にかかる保冷ボックスの蓋が閉じられた状態を示す略斜視図である。
【図２】図２は、図１に示された保冷ボックスの蓋が開けられ、後方に回動された状態を示す略斜視図である。
【図３】図３は、図１に示された保冷ボックスの模式的縦断面図である。
【図４】図４は、図１に示された保冷ボックスの蓋の前部のみが後方に回動された状態を示す略斜視図である。
【図５】図５は、図１に示された実施態様にかかる箱体の前壁部および左右の壁部の上端部の形状と、第一の垂れ部の形状を示す模式的説明図である。
【図６】図６は、図１に示された実施態様にかかる箱体の右側の壁部の前上部の近傍の模式的な右側面部分拡大図である。
【図７】図７は、前壁部の上部を前方へ、さらに下方へ回動させた状態を示す略斜視図である。
【図８】図８は、図１に示された保冷ボックスを斜め下方から見た部分拡大斜視図である。
【考案を実施するための形態】
【００２５】
以下、添付図面に基づいて、本考案の好ましい実施態様につき、詳細に説明を加える。
【００２６】
図１は、本考案の好ましい実施態様にかかる保冷ボックス１の蓋が閉じられた状態を示す略斜視図であり、図２は、図１に示された保冷ボックス１の蓋が開けられ、後方に回動された状態を示す略斜視図である。
【００２７】
また、図３は、図１に示された保冷ボックス１の模式的縦断面図であり、図３（ａ）は、図１に示されたＸ−Ｘ線に沿った保冷ボックス１の模式的縦断面図であり、図３（ｂ）は、図１に示されたＹ−Ｙ線に沿った保冷ボックス１の模式的縦断面図である。
【００２８】
図１および図２に示されるように、保冷ボックス１は、箱体２と、箱体２の上面を覆う蓋３を備え、箱体２の内部に形成された収容空間５（図２参照）に、食品などの被収容物を収容可能に構成されている。
【００２９】
箱体２は、その四側面を構成する前壁部１１、左右の壁部１２，１３および後壁部１４（図２、図３（ａ）および図３（ｂ）参照）と、底壁部１５（図３（ａ）および図３（ｂ）参照）と、各四側面の内側の面（収容空間５に対向する面）にそれぞれ面ファスナーを用いて着脱可能に取り付けられた断熱板部材１６ないし１９（図２参照）と、底壁部１５上に載置された断熱板部材２０（図３（ａ）および図３（ｂ）参照）を備えている。箱体２の上面には、収容空間５から被収容物を出し入れするための開口７（図２参照）が形成されている。
【００３０】
断熱板部材１６ないし２０は、図３（ａ）および図３（ｂ）に示されるように、それぞれの縁部分で互いに当接しており、外容器を構成する前壁部１１、左右の壁部１２，１３、後壁部１４および底壁部１５の内側において、断熱板部材１６ないし２０が、内部に収容空間５を備えた内容器を構成している。
【００３１】
収容空間５は、図２、図３（ａ）または図３（ｂ）に示されるように、その前部を断熱板部材１６によって、後部を断熱板部材１９によって、左部を断熱板部材１７によって、右部を断熱板部材１８によって、下部を断熱板部材２０によってそれぞれ画定されている。
【００３２】
本実施態様においては、断熱板部材１６ないし２０はそれぞれ、発泡ポリスチレンによって構成された中材が、ポリエチレンによって構成された布で包まれて形成されており、断熱性、耐圧性および剛性を備えている。
【００３３】
一方、前壁部１１、左右の壁部１２，１３および後壁部１４はそれぞれ、ポリエチレンによって構成され、断熱性を有し、さらに、左右の壁部１２，１３の後ろ上部および後壁部１４の上部を除き、可撓性を有している。
【００３４】
このように、断熱性、耐圧性および剛性を備えた断熱板部材１６ないし２０によって構成された内容器が、前壁部１１、左右の壁部１２，１３、後壁部１４および底壁部１５によって構成された外容器で覆われているため、特に、断熱板部材１６ないし２０同士が互いに当接する部分から、保冷ボックス１の外部に冷気が漏れ出すことを防止することができる。
【００３５】
図２に示されるように、本実施態様においては、箱体２の前壁部１１と、左右の壁部１２，１３とにより形成される左右の角部２３，２４の外面はそれぞれ、角張った形状をなし、前壁部１１、左右の壁部１２，１３および後壁部１４はそれぞれ、断熱板部材１６ないし１９よりも高く形成されている。
【００３６】
図１および図２に示されるように、右側の壁部１３の下部外面には、面ファスナー（図示せず）を備えた４つのベルト２１が設けられており、これらのベルト２１を用いて、保冷ボックス１を手押し台車などに取付け可能に構成されている。なお、左側の壁部１２にはこれらのベルト２１が設けられていない点を除き、保冷ボックス１は左右対称に構成されている。
【００３７】
一方、蓋３は、閉じられたときに、開口７の上方に位置する天面３０と、後壁部１４の外面（後面）上部に取り付けられた取付部３１（図３（ａ）参照）と、天面３０と取付部３１とを繋ぐ繋ぎ部３７（図３（ａ）参照）と、天面３０の下面に固定された断熱板部材３２と、天面３０の前部（天面３０の前後方向略中央部よりも前側の部分）の縁から略下方に延びる第一の垂れ部３３（図１、図２および図３（ａ）参照）と、天面３０の後部における左右の縁から略下方に延びる左右一対の第二の垂れ部３８（図１、図２および図３（ｂ）参照）を備え、作業者によって、取付部３１（図３（ａ）参照）の上端部を中心に回動されて、図１に示されるように、箱体２の上部（開口７など）を覆う姿勢と、図２に示されるように、蓋３の全体が箱体２の後方の位置で下方に垂れ下がり、箱体２の開口７を露出させる姿勢との間で切換え可能に構成されている。
【００３８】
図３（ａ）に示されるように、第一の垂れ部３３と断熱板部材３２との間には、蓋３が閉じられるときに、前壁部１１または左右の壁部１２，１３の上部が挿入されるための僅かな間隙が形成されている。
【００３９】
図３（ａ）および図３（ｂ）に示されるように、蓋３が閉じられると、天面３の下面に固定された断熱板部材３２の縁が、断熱板部材１６ないし１９の上に載置される。その結果、収容空間５の上部が、断熱板部材３２によって覆われるため、収容空間５が、保冷ボックス１の外部から断熱される。
【００４０】
したがって、作業者は、保冷剤またはドライアイスとともに、食品などの被収容物を収容空間５に入れ、蓋３を回動させて閉じることによって、被収容物を保冷することができる。
【００４１】
加えて、本実施態様にかかる保冷ボックス１においては、蓋３を、さらに、以下のようにして開閉することができる。
【００４２】
図４は、図１に示された保冷ボックス１の蓋３の前部のみが後方に回動された状態を示す略斜視図である。
【００４３】
図１に示されるように、蓋３の天面３０の前後方向略中央部にはミシン目４８が形成されている。
【００４４】
また、図３（ａ）に示されるように、断熱板部材３２は、前部断熱板部材４５および後部断熱板部材４６を備え、前部断熱板部材４５と後部断熱板部材４６は、向かい合う面の上端部で互いに連結され、図４に示されるこの連結部分４７が、天面３０に形成されたミシン目４８（図１参照）の下方に位置している。
【００４５】
このように構成することによって、作業者は、図４に矢印付きの一点鎖線で示されるように、蓋３の前部のみを、天面３０に形成されたミシン目４８を中心に上方へ、さらに、後方へと回動させ、開口７の前部のみを露出させることができる。したがって、上述のように、図３（ａ）に示される取付部３１の上端部を中心に蓋３を後方へ回動させ（図２に示された状態）、開口７を後部まで露出させる場合に比して、被収容物を収容空間５から出し入れする際の冷気の漏れを抑制することができる。
【００４６】
なお、このとき、天面３０の後部における左右の縁から略下方に延びる左右一対の第二の垂れ部３８はそれぞれ、その内側の面および左右の壁部１２，１３の後上部に設けられた面ファスナー４０（図２および図３（ｂ）参照）を用いて左右の側壁１２，１３の後ろ上部の外面に取り付けられており、蓋３が、取付部３１の上端部を中心に回動される際には、左右一対の第二の垂れ部３８は、左右の側壁１２，１３の後ろ上部から取り外される。
【００４７】
一方、蓋３の第一の垂れ部３３は、図１または図４に示されるように、天面３０の前縁から略下方（蓋３が閉じられた状態で略下方）に延びる前垂れ部３４と、天面３０の前部（天面３０に形成されたミシン目４８よりも前側の部分）の左右の縁から略下方に延びる左右の垂れ部３５，３６とが一体的に形成されたものであり、図４に示されるように、前垂れ部３４と左右の垂れ部３５，３６との間に左右の角部４１，４２が形成されている。
【００４８】
蓋３が閉じられたときには、第一の垂れ部３３の前垂れ部３４は、箱体２の前壁部１１の上部外面に沿い（図３（ａ）参照）、第一の垂れ部３３の左右の垂れ部３５，３６はそれぞれ、箱体２の左右の壁部１２または１３の前上部外面に沿い、箱体２の左右の壁部１２，１３の前上部が、第一の垂れ部３３の左右の垂れ部３５，３６および左右の角部４１，４２（図１および図４参照）と、前部断熱板部材４５（図４および図３（ａ）参照）との間に形成された間隙内に位置するように構成されている。
【００４９】
図５は、図１に示された実施態様にかかる箱体２の前壁部１１および左右の壁部１２，１３の上端部の形状と、第一の垂れ部３３の形状を示す模式的説明図であり、図５（ａ）は、箱体２の前壁部１１および左右の壁部１２，１３の上端部の形状と、第一の垂れ部３３の下端部の形状を示す模式的説明図であり、図５（ｂ）は、箱体２の前壁部１１および左右の壁部１２，１３の上端部の形状と、第一の垂れ部３３の上端部の形状を示す模式的説明図である。
【００５０】
図５には、箱体２の前壁部１１および左右の壁部１２，１３の上端部ならびに第一の垂れ部３３の下端部または上端部を、上方から見た状態が示されている。
【００５１】
図１、図４および図５（ａ）に示されるように、第一の垂れ部３３に形成された左右の角部４１，４２の下端部（蓋３が閉じられた状態で、下側に位置する端部）はそれぞれ、丸みを帯びた形状（いわゆるＲ形状）をなしている。
【００５２】
このように、左右の角部４１，４２の下端部を、丸みを帯びた形状に形成することによって、作業者が、蓋３を回動させ、箱体２の上部に被せる（蓋３を閉じる）際に、蓋３の第一の垂れ部３３の左右の角部４１，４２の内側の面と、それらに対向する箱体２の左右の角部２３，２４の上端部外側の面との間に、僅かに余裕が形成される。
【００５３】
したがって、蓋３を閉じる際に、前壁部１１と左右の壁部１２，１３との間の角張った形状をなす左右の角部２３，２４の上端部に、蓋３の左右の角部４１，４２の下端部（下縁）が引っ掛かる事態が防止されるので、蓋３をスムーズに閉じることができる。
【００５４】
さらに、本実施態様においては、図１または図５（ｂ）に示されるように、蓋３の天面３０の前端部に位置する左右の角部５１，５２と、第一の垂れ部３３の左右の角部４１，４２の上端部とがそれぞれ、箱体２の左右の角部２３，２４の角張った形状に合わせて、角張った形状をなしている。
【００５５】
換言すれば、天面３０の前縁および左右の縁の前部から下方に延びる第一の垂れ部３３の左右の角部４１，４２は、上端部においては角張った形状をなしている（図５（ｂ）参照）が、下方に延びるにつれて、丸みを帯びた形状（図５（ａ）参照）をなす。
【００５６】
このように構成することによって、蓋３が完全に閉じられたとき（図１参照）には、図５（ｂ）に示されるように、箱体２の左右の角部２３，２４の上端部およびその近傍と、その外面に沿う第一の垂れ部３３の内側の面とを当接させ、又はより一層近接させることができるから、スムーズに閉じることが可能な蓋３であっても、箱体２の前部（ミシン目４８から前側の部分）の上端部近傍から冷気が漏れることを効果的に抑制することができる。なお、後に詳述するように、箱体２の前部は前下がりな形状をなしているため、厳密には、蓋３の前垂れ部３４の上端部は、箱体２の前壁部１１の上端部に対向していない（図６参照）が、左右の壁部１２，１３の前部および前壁部１１の各上端部に対向する第一の垂れ部３３の部分は、図５（ａ）に示された第一の垂れ部３３の下端部よりも角張った形状（図５（ｂ）に示された第一の垂れ部３３の上端部の形状に近い形状）を有している。
【００５７】
図６は、図１に示された実施態様にかかる箱体２の右側の壁部１３の前上部の近傍の模式的な右側面部分拡大図であり、蓋３が取付部３１（図３（ａ）参照）の上端部を中心に回動されるときの前垂れ部３４の下部の軌跡が矢印付きの一点鎖線で示されている。さらに、右側の壁部１３よりも図面奥側に位置する前壁部１１の上端部および後端部と、前壁部１１の内側の面に取り付けられた断熱板部材１６とがそれぞれ、破線で示されている。
【００５８】
また、図６においては、蓋３の右側の垂れ部３６（図１参照）と、右側の垂れ部３６と前垂れ部３４との間の右側の角部４２と、後に詳述する面ファスナー４０が便宜上省略されており、前垂れ部３４は、右側の壁部１３に平行な面で切断された縦断面が示されている。
【００５９】
図６に示されるように、右側の壁部１３の前上端部および前壁部１１の上端部が、右側の壁部１３の後部かつ上端部よりも低い高さ位置に位置し、右側の壁部１３の前部の上縁が、前下がりに斜めに形成されている。
【００６０】
また、本実施態様にかかる保冷ボックス１は、ベルト２１の有無を除き、左右対称に構成されているため、左側の壁部１３の前部の上縁も同様に、前下がりに斜めに形成されている。
【００６１】
さらに、本実施態様においては、図２および図６に示されるように、箱体２の前壁部１１の上端部と、左右の壁部１２，１３の前端上部とは、互いに略同一の高さに位置している。
【００６２】
このように構成することによって、作業者が蓋３を開閉するときに、図６に矢印付きの一点鎖線で回動軌跡が示された前垂れ部３４の下部および蓋３の左右の角部４１，４２（図１参照）の下部（蓋３が閉じられた状態で下部に位置する部分）が、前壁部１１の上端部または左右の壁部１２，１３の前上端部に引っ掛かることを効果的に防止することができる。
【００６３】
すなわち、箱体２の左右の壁部１２，１３の前上部が前下がりに斜めに形成され、前壁部１１の上縁の高さ位置も、左右の壁部１２，１３の前上部に合わせて低く形成されているため、保冷ボックス１の右側から見た場合に、図６に矢印付きの一点鎖線で示される前垂れ部３４の下部の回動軌跡が、前壁部１１の上部および右側の壁部１３の前上端部と重ならないことから理解されるように、蓋３の前垂れ部３４の下部および蓋３の左右の角部４１，４２（図１参照）の下部が、箱体２の前壁部１１の上端部または左右の壁部１２，１３の前上端部に引っ掛かることが効果的に防止される。
【００６４】
さらに、本実施態様においては左右の壁部１２，１３の前上部は可撓性を有し、蓋３が閉じられる際に、左右の壁部１２，１３の前上部が、蓋３の右側の角部４２の近傍または前部断熱板部材４５に引っ掛かり、支障になることが防止されている。
【００６５】
このように、図４に示される蓋３前部の左右の角部４１，４２が丸みを帯びていることと相まって、箱体２の左右の壁部１２，１３の前上部が前下がりに斜めに形成され、さらに可撓性を有しているため、作業者は、蓋３を非常にスムーズに開閉することができる。
【００６６】
一方、本実施態様においては、図２または図６で示されるように、箱体２の左右の壁部１２，１３の後ろ上部内側の面と、後壁部１４の上部内側の面にそれぞれ、板状の硬い芯材２５が取り付けられており、左右の壁部１２，１３の後ろ上部および後壁部１４の上部がそれぞれ、上方に向けてピンッと立設した状態で保持されている（図６には右側の壁部１３の内側の面に取り付けられた芯材２５のみ二点鎖線で図示）。
【００６７】
このように構成することによって、蓋３を閉じる際に、左右の壁部１２，１３の後ろ上部および後壁部１４の上部が、蓋３の断熱板部材３２に引っ掛かることが抑制される。したがって、断熱板部材３２を、後壁部１４および左右の壁部１２，１３よりも内側の位置（後壁部１４よりも前方で、左右の壁部１２，１３よりも左右方向中央側の位置であり、断熱板部材１６ないし１９の上方の位置、図３（ａ）参照）に載置しやすくなり、蓋３をより一層スムーズに閉じることができる。
【００６８】
図６の図面左側（前側）に示されるように、第一の垂れ部３３の内部かつ下部（蓋３が閉じられた状態で下側に位置する部分）には、剛性を有する芯材３９が設けられており、第一の垂れ部３３の下部の形状を保持可能に構成されている。
【００６９】
これに対して、第一の垂れ部３３の上部には芯材が設けられていないため、第一の垂れ部３３を上部で折り曲げることができる。したがって、たとえば、複数の保冷ボックス１を折り畳んだ状態で前後方向に重ねる場合には、各保冷ボックス１の蓋３を後方に回動させ（図２参照）、各第一の垂れ部３３を上部（芯材３９が設けられていない部分）で折り曲げた状態で、前後方向に重ねることができ、第一の垂れ部３３が前後方向に嵩張らない。
【００７０】
なお、本実施態様にかかる保冷ボックス１は、特許文献１の図８および図９に示された保冷ボックス（断熱性格納ケース）と同様に、蓋３が開かれた状態で、断熱板部材２０の前部を上後方へ回動させ、左右の断熱板部材１７，１８（図２参照）の前部をそれぞれ左右方向中央側に回動させた後に、箱体２の前壁部１１および断熱板部材１６を後方へ押圧することによって、折り畳むことができる。すなわち、蓋３の前垂れ部３４と左右の垂れ部３５，３６とが一体的に形成された本実施態様においては、蓋３を後方へ回動させた場合に、図２に示されるように、第一の垂れ部３３が後方へ延び、嵩張ってしまうが、第一の垂れ部３３をその上部（図６における上部）で折り曲げ、コンパクトにすることができる。
【００７１】
さらに、本実施態様にかかる保冷ボックス１においては、以下のようにして、前壁部１１の上部が前下方へ回動されることによって、開口７を、箱体２の前面まで拡張可能に構成されている。
【００７２】
図７は、前壁部１１の上部を前方へ、さらに下方へ回動させた状態を示す略斜視図である。
【００７３】
図１ないし図４に示されるように、箱体２の前壁部１１における上下方向略中央部よりもやや上方の位置には、左右方向に延びるミシン目５０が形成されており、前方へ、さらに、下方へと回動可能に構成されている。
【００７４】
また、本実施態様においては、前壁部１１と左右の壁部１２，１３との間の境目部分で、かつ、ミシン目５０から上方の部分には、切れ込みが形成されており、前壁部１１の上部の左右の縁から左右方向外側に延びるように翼部２６が形成され、この翼部２６に設けられた面ファスナー２７を、左右の壁部１２，１３の前上部に設けられた面ファスナー２８に係合させることによって、図２に示されるように、前壁部１１の上部の左右の縁が、左右の壁部１２，１３の上部の前縁に当接した状態で保持可能に構成されている。
【００７５】
さらに、図３（ａ）に示されるように、断熱板部材１６は、上部断熱板部材４３および下部断熱板部材４４を備え、上部断熱板部材４３は前壁部１１の上部の内側の面に取り付けられ、下部断熱板部材４４は前壁部１１の下部の内側の面に取り付けられている。
【００７６】
開口７が箱体２の前面まで拡張される際には、まず、作業者によって、蓋３全体が後方へ回動されて開かれる（図２および図７参照）か、少なくとも蓋３の前部が開かれる（図４参照）。
【００７７】
次いで、作業者によって、左右一対の翼部２６（図４および図７参照）が前方に引張されて面ファスナー２７と２８との係合が解除され、前壁部１１が回動可能な状態にされる。
【００７８】
最後に、作業者によって、図７に矢印付きの一点鎖線で示されるように、前壁部１１の上部および上部断熱板部材４３がミシン目５０を中心に前方へ、さらに、下方へと回動されて、箱体２の開口７が保冷ボックス１の前面にまで拡張される。このとき、前壁部１１は、ミシン目５０の位置で二つ折りに折り返された状態で、その前後から、上部断熱板部材４３と下部断熱板部材４４とに挟まれた状態となる。
【００７９】
なお、図７に示された状態で、さらに、蓋３が閉じられることによって、開口部分を保冷ボックス１の前面のみとすることもでき、この場合には、保冷ボックス１の上部からの冷気の漏れを遮断しつつ、前面から被収容物を出し入れすることが可能である。
【００８０】
一方、本実施態様においては、保冷ボックス１の内部に、結露した水や、雨水が溜まった場合に、以下のようにして、底壁部１５の対角に位置する２つの角部から、水抜きを行うことができる。
【００８１】
図８は、図１に示された保冷ボックス１を斜め下方から見た部分拡大斜視図であり、図８（ａ）は、保冷ボックス１の左前下部に位置する角部の近傍の部分拡大斜視図であり、図８（ｂ）は、保冷ボックス１の右後下部に位置する角部の近傍の部分拡大斜視図である。
【００８２】
図８（ａ）に「水抜き時」として示されるように、保冷ボックス１の左前下部において、底壁部１５と左側の壁部１２との間の境目部分と、底壁部１５と前壁部１１との間の境目部分にそれぞれ、切れ込み５７または５８が形成されている。
【００８３】
底壁部１５の切れ込み５７または５８が入れられた縁部分には、シート状をなす取付片５３、５４が取り付けられており、各取付片５３および５４には面ファスナー６５または６６が設けられている。また、左壁部１２の外面の前下部には、取付片５３の面ファスナー６５に対応する面ファスナー６７が設けられており、前壁部１１の外面の左下部には、取付片５４の面ファスナー６６に対応する面ファスナー６８が設けられている。
【００８４】
保冷ボックス１の内部に溜まった水を排出する際には、作業者は、取付片５３および５４を引張し、左壁部１２および前壁部１１から取り外した後に、図８（ａ）に「水抜き時」として示されるように、底壁部１５の左前部を下方へ捲り、外容器の内部に溜まった水を排出することができる。
【００８５】
なお、収容空間５内に水が溜まっている場合で、断熱板部材１６，１７および２０同士が当接する部分からスムーズに排水することができない場合には、断熱板部材２０の前部を後上方に回動させることによって、収容空間５内に溜まった水を排出することができる。
【００８６】
また、水抜きを終えた後には、底壁部１５に取り付けられた取付片５３に設けられた面ファスナー６５を、左壁部１２の面ファスナー６７に係合させ、底壁部１５に取り付けられた取付片５４に設けられた面ファスナー６６を、前壁部１１の面ファスナー６８に係合させることによって、図８（ａ）に「通常使用時」として示されるように、切れ込み５７，５８を閉じ、冷気の漏れを遮断することができる。
【００８７】
さらに、本実施態様においては、図８（ｂ）に「水抜き時」として示されるように、保冷ボックス１の右後下部において、底壁部１５と右壁部１３との間の境目部分と、底壁部１５と後壁部１４との間の境目部分にそれぞれ、切れ込み５９または６０が形成されている。
【００８８】
底壁部１５の切れ込み５９または６０が入れられた縁部分には、シート状をなす取付片５５および５６が取り付けられており、各取付片５５および５６には面ファスナー６１または６２が設けられている。また、右壁部１３の外面の後ろ下部には、取付片５５の面ファスナー６１に対応する面ファスナー６３が設けられており、後壁部１４の外面の右下部には、取付片５６の面ファスナー６２に対応する面ファスナー６４が設けられている。
【００８９】
したがって、作業者は、図８（ａ）に示された底壁部１５の左前部から水抜きする場合と同様に、取付片５５および５６を引張し、右壁部１３および後壁部１４から取り外した後に、図８（ｂ）に「水抜き時」として示されるように、底壁部１５の右後部を下方へ捲り、外容器の内部に溜まった水を排出することができる。
【００９０】
また、水抜きを終えた後には、底壁部１５に取り付けられた取付片５５に設けられた面ファスナー６１を、右壁部１３の面ファスナー６３に係合させ、底壁部１５に取り付けられた取付片５６に設けられた面ファスナー６２を、後壁部１４の面ファスナー６４に係合させることによって、図８（ｂ）に「通常使用時」として示されるように、切れ込み５９，６０を閉じ、冷気の漏れを遮断することができる。
【００９１】
このように、本実施態様においては、底壁部１５の互いに対角に位置する左前部と右後部の２つの角部に形成された切れ込み５７，５８および５９，６０（本考案にかかる水抜き手段に該当）から、水抜きを行うことができる。
【００９２】
本実施態様によれば、箱体２の上面に形成された開口７を覆う蓋３の天面３０の前縁から略下方に延びる前垂れ部３４と、天面３０の左右の縁の前部から略下方に延びる左右の垂れ部３５，３６とが、第一の垂れ部３３として一体的に形成されているから、保冷ボックス１を使用し続けるにつれて、左右の垂れ部３５，３６が左右方向外側に拡がっていく（左右の垂れ部３５，３６が、天面３０との接合部を中心に、左右方向外側に回動していく）ことがなく、左右の垂れ部３５，３６を、箱体２の左右の壁部１２，１３の上部外面に取り付ける必要がないため、回動させるだけで蓋３を簡単に開閉することができ、手間がかからない。
【００９３】
また、本実施態様によれば、第一の垂れ部３３として一体的に形成された左右の垂れ部３５，３６と前垂れ部３４との間の左右の角部４１，４２の下端部（下縁）がそれぞれ、図１、図４および図５（ａ）に示されるように、丸みを帯びた形状をなし、箱体２の前壁部１１と左右の壁部１２，１３とにより形成される左右の角部２３，２４が角張った形状をなしているから、蓋３の左右の角部４１，４２の下端部と、箱体２の左右の角部２３，２４の上端部近傍との間に僅かに余裕が生じ、蓋３を回動させて開閉する際に、蓋３の左右の角部４１，４２の下端部が、箱体２の左右の角部２３，２４の上端部近傍に引っ掛かる事態を防止することができ、したがって、蓋３をスムーズに開閉することができる。
【００９４】
加えて、本実施態様によれば、図５（ｂ）に示されるように、第一の垂れ部３３の前垂れ部３４と左右の垂れ部３５，３６との間の左右の角部４１，４２の上端部が、箱体２の前壁部１１と左右の壁部１２，１３とにより形成される左右の角部２３，２４の形状に合わせて、角張った形状をなしているから、蓋３が閉じられた状態で、箱体２の前壁部１１の上部および左右の壁部１２，１３の上部と、これらの外面に沿う前垂れ部３４および左右の垂れ部３５，３６とを当接させ、または近接させることができ、したがって、左右の角部４１，４２が丸みを帯びた蓋３であっても、箱体２の前部（ミシン目４８から前側の部分）の上端部近傍から冷気が漏れる事態を効果的に抑制することができる。
【００９５】
さらに、本実施態様によれば、図６に示されるように、左右の壁部１２，１３の前部の上縁が前下がりに斜めに形成されているから、蓋３を開閉する際に、前垂れ部１１の下部ならびに、左右の垂れ部３５，３６と前垂れ部１１との間の（とを繋ぐ）左右の角部４１，４２の下部が、箱体２の前壁部１１の上端部、または左右の壁部１２，１３の前上端部に引っ掛かることを効果的に防止することができる。
【００９６】
また、本実施態様によれば、図６に示されるように、蓋３の第一の垂れ部３３（前垂れ部３４および左右の垂れ部３５，３６）の下部のみに、剛性を有する芯材３９が内封されており、上部には芯材が内封されておらず、第一の垂れ部３３の上部に可撓性が備えられているため、保冷ボックス１を使用しないときに、蓋３が後方に回動された状態で、第一の垂れ部３３を、その上部（図６に示された状態での上部）で折り曲げることができ（たとえば、前垂れ部３４の下部内側の面を、前部断熱板部材４５の下面に当接させるように、前垂れ部３４の上部で折り曲げることができる）、嵩張らない。
【００９７】
さらに、本実施態様によれば、取付片５３，５４および５５，５６（図１、図３、図８など参照）を引張し、箱体２の底部において、底壁部１５の互いに対角に位置する２つの角部（底壁部１５の右後部および左前部）を捲ることによって、保冷ボックス１の内部に溜まった水を排水することができるから、利便性が良い。
【００９８】
本考案は、以上の実施態様に限定されることなく、実用新案登録請求の範囲に記載された考案の範囲内で種々の変更が可能であり、それらも本考案の範囲内に包含されるものであることはいうまでもない。
【００９９】
例えば、図１ないし図８に示された前記実施態様においては、保冷ボックス１は、手押し台車などに取り付けられるように構成されているが、保冷ボックス１の利用用途はこれに限られず、たとえば、搬送用のコンテナの内部に収容可能に構成してもよい。
【０１００】
また、前記実施態様においては、保冷ボックス１は、被収容物を保冷するために用いられるが、断熱板部材１６ないし２０を備えているため、被収容物を保温するために用いてもよい。
【０１０１】
さらに、前記実施態様においては、断熱板部材１６ないし２０は、発泡ポリスチレンによって構成された中材が、ポリエチレンによって構成された布で包まれて形成され、前壁部１１、左右の壁部１２，１３および後壁部１４はそれぞれポリエチレンによって構成されているが、断熱板部材１６ないし２０と、前壁部１１、左右の壁部１２，１３および後壁部１４の材質はこれらに限定されるものではない。
【０１０２】
また、前記実施態様においては、箱体２が、前壁部１１、左右の壁部１２，１３および後壁部１４とは別個に、断熱板部材１６ないし２０を備えていることは必ずしも必要でなく、前壁部１１、左右の壁部１２，１３および後壁部１４を断熱板部材によって構成し、この左右の壁部を前下がりに斜めに形成してもよい。この場合には、蓋の裏に設けられた断熱板部材の前下部を、左右の壁部の形状に合わせて、前下がりに斜めに形成することによって、左右の壁部と蓋の裏に設けられた断熱板部材との間に間隙が形成されず、冷気の漏れを防止することができる。
【０１０３】
さらに、前記実施態様においては、蓋３が、回動可能に、箱体２の後壁部１４の上部外面に取り付けられているが、後壁部１４と別個に形成された蓋３が後壁部１４に取り付けられることは必ずしも必要でなく、蓋３を後壁部１４の上縁から連続的に形成してもよい。
【０１０４】
また、前記実施態様においては、図３に示されるように、蓋３の天板３０と繋ぎ部３７とが別個に形成され、連結されているが、天板３０と繋ぎ部３７とを一体的に形成してもよい。
【０１０５】
加えて、前記実施態様においては、蓋３が閉じられた状態で保持する手段が保冷ボックス１に設けられていないため、保冷ボックス１を搬送している間に、振動や傾きなどによって、蓋３が回動し、開いてしまうおそれがあるが、たとえば、サイドリリースのバックルの一端部を前壁部１１に、他端部を蓋３の前垂れ部３４に設け、蓋３を閉じた状態で保持することができるように構成してもよい。
【０１０６】
さらに、前記実施態様においては、前壁部１１の上部を、ミシン目５０を中心に前下方に回動させ、図７に示されるように、開口７を保冷ボックス１の前面まで拡張可能とするため、前壁部１１の上部と左右の壁部１２，１３の上部との間に切れ込みを設け、左右一対の翼部２６を用いて連結可能に構成しているが、前壁部１１の上部と左右の壁部１２，１３の上部とを一体的に（連続的に）形成してもよい。また、前記実施態様においては、箱体２の前壁部１１と、左右の壁部１２，１３とは、その上端部において、互いに連結されていないが、翼部２６を前壁部１１の上端部の高さまで延ばして形成し、前壁部１１と左右の壁部１２，１３とを上端部に至るまで互いに連結可能に構成してもよい。
【０１０７】
また、前記実施態様においては、蓋３の前垂れ部３４と左右の垂れ部３５、３６とが一体的に形成されているが、前垂れ部３４と左右の垂れ部３６とが一体的に形成されることは必ずしも必要でなく、前垂れ部と左右の垂れ部とが互いに直接連結されるか、または、連結部材を介して前垂れ部と左右の垂れ部とが連結されることによって、前垂れ部と左右の垂れ部との間に、丸みを帯びた左右の角部が形成されてもよい。
【０１０８】
さらに、前記実施態様においては、蓋３の全体を回動させて開閉するだけでなく、図４に示されるように、蓋３の前部のみを回動させて開閉可能とするため、図１に示されるように、蓋３の天面３０の前縁および左右の縁の前部から延びる第一の垂れ部３３とは別個に、その後方に、左右一対の第二の垂れ部３８を設け、これら左右一対の第二の垂れ部３８を、面ファスナー４０を用いて左右の壁部１２，１３に取付け可能に構成しているが、第二の垂れ部３８を設けることは必ずしも必要でなく、また、蓋が閉じた状態で、左右の垂れ部を、天面の左右の縁の前部からのみならず、後部からも略下方に延びるように、本実施態様にかかる左右の垂れ部３６よりも後方に長い左右の垂れ部を形成してもよい。
【０１０９】
また、前記実施態様においては、箱体２の左右の角部２３，２４は、図２および図５に示されるように、角張った形状をなしているが、丸みを帯びた形状をなすように形成してもよく、この場合には、箱体２の左右の角部２３，２４の曲率半径がそれぞれ、図５（ａ）に示された第一の垂れ部３３の左右の角部４１，４２の下端部の曲率半径よりも小さくなるように構成することによって、第一の垂れ部３３の左右の角部４１，４２の下端部と、それに対向する箱体２の左右の角部２３，２４（図５参照）の近傍部分との間に僅かに余裕が生じ、したがって、蓋３を閉じる際に、左右の角部４１，４２の下端部が、箱体２の左右の角部２３，２４の上端部近傍に引っ掛かることを防止し、蓋３をスムーズに閉じることができる。さらに、この場合には、図５（ｂ）に示された第一の垂れ部３３の左右の角部４１，４２の上端部を、箱体２の左右の角部２３，２４の形状に合わせて、第一の垂れ部３３の左右の角部４１，４２の下端部よりも曲率半径が小さい限りにおいて、丸みを帯びた形状をなすように形成することによって、前壁部１１の上部および左右の壁部１２，１３の上部と、これらの外面に沿う前垂れ部３４および左右の垂れ部３５，３６とを当接または近接させ、冷気の漏れを効果的に抑制することができる。
【符号の説明】
【０１１０】
１  保冷ボックス
２  箱体
３  蓋
５  収容空間
７  開口
１１  前壁部
１２  左側の壁部
１３  右側の壁部
１４  後壁部
１５  底壁部
１６  断熱板部材
１７  断熱板部材
１８  断熱板部材
１９  断熱板部材
２０  断熱板部材
２１  ベルト
２３  箱体２前部の左側の角部
２４  箱体２前部の右側の角部
２５  芯材
２６  翼部
２７  面ファスナー
２８  面ファスナー
３０  天面
３１  取付部
３２  断熱板部材
３３  第一の垂れ部
３４  前垂れ部
３５  左側の垂れ部
３６  右側の垂れ部
３７  繋ぎ部
３８  第二の垂れ部
３９  芯材
４０  面ファスナー
４１  左側の角部
４２  右側の角部
４３  上部断熱板部材
４４  下部断熱板部材
４５  前部断熱板部材
４６  後部断熱板部材
４７  連結部分
４８  ミシン目
５０  ミシン目
５１  天面前縁の左側の角部
５２  天面前縁の右側の角部
５３  取付片
５４  取付片
５５  取付片
５６  取付片
５７  切れ込み
５８  切れ込み
５９  切れ込み
６０  切れ込み
６１  面ファスナー
６２  面ファスナー
６３  面ファスナー
６４  面ファスナー
６５  面ファスナー
６６  面ファスナー
６７  面ファスナー
６８  面ファスナー
【図１】
0003231838.tif 000003
【図２】
0003231838.tif 000004
【図３】
0003231838.tif 000005
【図４】
0003231838.tif 000006
【図５】
0003231838.tif 000007
【図６】
0003231838.tif 000008
【図７】
0003231838.tif 000009
【図８】
0003231838.tif 000010